(57)【要約】【課題】シールフィルム包装体内に収納包装された餡、バター、マーガリン、ジャムあるいはこれらに類する粘性食品を、極めて省力的に、しかも、極めて衛生的に且つ綺麗に取り出すように構成した粘性食品取出し用器具を提供すること、及び粘性食品取出し用器具をセットにした最中セット商品を提供すること。【解決手段】内部に粘性食品Ｆを収納包装するシールフィルム包装体１１を、一縁辺に沿って設けた開封部１２で開封した後、前記包装体内の粘性食品を取り出すための器具であって、偏平な板部材からなり、一端側に細幅スリット２を備えていて、一部に把手部３を備えており、細幅スリットが、前記シールフィルム包装体のシールフィルムを外側から把持する相対向した把持面４、４を形成するものからなるシールフィルム包装体における粘性食品取出し用器具。【選択図】図１
0003102099.tif 000002
【実用新案登録請求の範囲】
【請求項１】
内部に粘性食品を収納包装するシールフィルム包装体を、一縁辺に沿って設けた開封部で開封した後、前記シールフィルム包装体内の粘性食品を取り出すための器具であって、偏平な板部材からなり、一端側に細幅スリットを備え、一部に把手部を備えており、前記細幅スリットは、前記シールフィルム包装体のシールフィルムを外側から把持する相対向した把持面を形成するものからなることを特徴とするシールフィルム包装体における粘性食品取出し用器具。
【請求項２】
前記細幅スリットのスリット幅寸法ｗが、前記シールフィルム包装体のシールフィルムを外側から把持した際、シールフィルムの二層厚の寸法に対応するものであって、且つ、前記シールフィルム包装体のシールフィルムを外側から把持した状態で摺動可能なものからなることを特徴とする請求項１に記載のシールフィルム包装体における粘性食品取出し用器具。
【請求項３】
前記細幅スリットの長さ寸法Ｌが、前記シールフィルム包装体の開封部に交差する幅寸法Ｗに対応するものからなることを特徴とする請求項１あるいは請求項２に記載のシールフィルム包装体における粘性食品取出し用器具。
【請求項４】
前記偏平な板部材の一部に、前記シールフィルム包装体内から取り出した粘性食品を均すためのヘラ作用縁を設けたことを特徴とする請求項１〜請求項３のいずれかに記載のシールフィルム包装体における粘性食品取出し用器具。
【請求項５】
前記偏平な板部材が、適度の可撓性を有するプラスチック材、金属材、竹材あるいは木材からなることを特徴とする請求項１〜請求項４のいずれかに記載のシールフィルム包装体における粘性食品取出し用器具。
【請求項６】
内部に最中用種体を収納包装する第１のシールフィルム包装体と、内部に餡あるいはこれに類する粘性食品を収納包装する第２のシールフィルム包装体と、前記第２のシールフィルム包装体内の餡あるいはこれに類する粘性食品を取り出すための粘性食品取出し用器具とをセットにした最中セット商品であって、前記粘性食品取出し用器具が、偏平な板部材からなり、一端側に細幅スリットを備え、一部に把手部を備えており、前記細幅スリットは、前記第２のシールフィルム包装体のシールフィルムを外側から把持する相対向した把持面を形成するものからなることを特徴とする粘性食品取出し用器具をセットにした最中セット商品。
【考案の詳細な説明】
【技術分野】
【０００１】
この考案は、シールフィルム包装体内に収納包装してある餡、バター、マーガリン、ジャムあるいはこれらに類する粘性食品を、極めて省力的に、しかも、極めて衛生的に且つ綺麗に取り出すように構成したシールフィルム包装体における粘性食品取出し用器具及び当該器具をセットにした最中セット商品に関するものである。
【背景技術】
【０００２】
周知のように、例えば、最中菓子のように、吸湿性を有する乾燥した最中用種体の内部に、水分を含む餡などの粘性食品を入れた複合食品の場合、当該餡などの粘性食品を直接的に最中用種体の内部に収めてしまうと、時間の経過とともに餡などの粘性食品の水分が乾燥を条件とする最中用種体に影響を与え、前記最中用種体が湿気ってしまい、最中用種体本来の風味が失われてしまうという大きな問題点を有していた。
【０００３】
上記する問題点を解消するにあたって、従来、前記最中菓子に関しては、最中用種体と、餡などの粘性食品とを個別に包装しておき、これを食するときにはじめて、両者の包装を解き、最中用種体の内部に餡などの粘性食品を入れて複合食品の状態にしていた。このようにすることによって、乾燥を条件とする最中用種体本来の風味を長時間的に維持することができ、且つ、当該最中菓子としての賞味期限をのばすことができるなどの作用効果を奏していた。
【０００４】
しかしながら、上記する従来の構成によれば、餡などの粘性食品をシールフィルム包装体に個別に包装しておかなければならない。このように、餡などの粘性食品を個別に包装したものにおいては、これを当該シールフィルム包装体内から取り出そうとする場合、極めて面倒であり、而も、綺麗な状態で取り出すことは至難の業であった。これは、最中菓子における餡などの粘性食品だけの問題ではなく、例えば、シールフィルム包装体に収納包装されるバター、マーガリン、ジャムあるいはこれらに類する粘性食品においても同様のものであった。
【考案の開示】
【考案が解決しようとする課題】
【０００５】
そこで、この考案では、シールフィルム包装体内に収納包装された餡、バター、マーガリン、ジャムあるいはこれらに類する粘性食品を、極めて省力的に、しかも、極めて衛生的に且つ綺麗に取り出すように構成したシールフィルム包装体における粘性食品取出し用器具を提供するものであり、且つ、当該粘性食品取出し用器具をセットにした最中セット商品を提供するものである。
【課題を解決するための手段】
【０００６】
この考案は、上記する目的を達成するにあたって、具体的には、内部に粘性食品を収納包装するシールフィルム包装体を、一縁辺に沿って設けた開封部で開封した後、前記シールフィルム包装体内の粘性食品を取り出すための器具であって、偏平な板部材からなり、一端側に細幅スリットを備え、一部に把手部を備えており、前記細幅スリットは、前記シールフィルム包装体のシールフィルムを外側から把持する相対向した把持面を形成するものからなることを特徴とするシールフィルム包装体における粘性食品取出し用器具を構成するものである。
【０００７】
さらに、この考案において請求項２に記載の考案は、請求項１に記載の粘性食品取出し用器具であって、前記細幅スリットの幅寸法ｗが、前記シールフィルム包装体のシールフィルムを外側から把持した際、シールフィルムの二層厚の寸法に対応するものであって、且つ、前記シールフィルム包装体のシールフィルムを外側から把持した状態で摺動可能なものからなることを特徴とするものである。
【０００８】
さらに、この考案において請求項３に記載の考案は、請求項１あるいは請求項２に記載の考案であって、前記細幅スリットの長さ寸法Ｌが、前記シールフィルム包装体の開封部に交差する幅寸法Ｗに対応するものからなることを特徴とするものである。
【０００９】
さらに、この考案において請求項４に記載の考案は、請求項１〜請求項３のいずれかに記載の考案であって、前記偏平な板部材の一部に、前記シールフィルム包装体内から取り出した粘性食品を均すためのヘラ作用縁を設けたことを特徴とするものである。
【００１０】
さらにまた、この考案において請求項５に記載の考案は、請求項１〜請求項４のいずれかに記載の考案であって、前記偏平な板部材が、適度の可撓性を有するプラスチック材、金属材、竹材あるいは木材からなることを特徴とするものでもある。
【００１１】
さらにまた、この考案において請求項６に記載の考案は、内部に最中用種体を収納包装する第１のシールフィルム包装体と、内部に餡あるいはこれに類する粘性食品を収納包装する第２のシールフィルム包装体と、前記第２のシールフィルム包装体内の餡あるいはこれに類する粘性食品を取り出すための粘性食品取出し用器具とをセットにした最中セット商品であって、前記粘性食品取出し用器具が、偏平な板部材からなり、一端側に細幅スリットを備え、一部に把手部を備えており、前記細幅スリットは、前記第２のシールフィルム包装体のシールフィルムを外側から把持する相対向した把持面を形成するものからなることを特徴とする粘性食品取出し用器具をセットにした最中セット商品を構成するものでもある。
【考案の効果】
【００１２】
この考案になるシールフィルム包装体における粘性食品取出し用器具によれば、まず第１には、極めて簡潔な構造の粘性食品取出し用器具により構成されるものであり、多量生産に適合し、経済的にも極めて有利に作用するものであり、第２には、当該粘性食品取出し用器具は、偏平な板部材からなり、一端側に、前記シールフィルム包装体のシールフィルムを外側から把持する相対向した把持面を形成する細幅スリットを備えたものからなる点において、シールフィルム包装体内に収納包装してある粘性食品を、極めて省力的に且つ見事に取り出すことができ、極めて衛生的である点などと併せて極めて有効に作用するものといえる。
【００１３】
さらにまた、この考案になるシールフィルム包装体における粘性食品取出し用器具をセットにした最中セット商品によれば、内部に最中用種体を収納包装する第１のシールフィルム包装体と、内部に餡あるいはこれに類する粘性食品を収納包装する第２のシールフィルム包装体と、前記第２のシールフィルム包装体内の餡あるいはこれに類する粘性食品を取り出すための粘性食品取出し用器具とをセットにした最中セット商品として、最中用種体の風味を保ち、賞味時間をのばすことができ、且つ、粘性食品取出し用器具をセットにしたことにより、第２のシールフィルム包装体内に収納包装してある粘性食品を、極めて省力的に且つ見事に取り出すことができ、極めて衛生的である点などと併せて極めて有効に作用するものといえる。
【考案を実施するための最良の形態】
【００１４】
以下、この考案になるシールフィルム包装体における粘性食品取出し用器具及び当該器具をセットにした最中セット商品について、図面に示す具体的な実施例に基づいて詳細に説明する。図１は、この考案になる粘性食品取出し用器具を用いて、これにより、餡などの粘性食品を収納包装するシールフィルム包装体から粘性食品を取り出す態様を示す概略的な斜視図、図２ＡおよびＢは、この考案になる粘性食品取出し用器具の異なる形態の具体的な実施例を示す概略的な斜視図である。一方、図３は、この考案になる粘性食品取出し用器具をセットにした最中セット商品の一実施例を示す概略的な斜視図である。
【００１５】
まず、この考案になる粘性食品取出し用器具１は、例えば、図２Ａあるいは図２Ｂに示すような形態のものとして形成される。図２Ａに示す粘性食品取出し用器具１Ａは、偏平な細幅の板部材によって形成されており、一端側に細幅スリット２を備えていて、他端側に把手部３を備えたものからなっている。この考案において、前記細幅スリット２は、図１に示すようなシールフィルム包装体１１のシールフィルムを外側から把持する相対向した把持面４、４を形成するものであって、当該細幅スリット２のスリット幅寸法ｗは、シールフィルム包装体１１のシールフィルムを外側から把持した際、シールフィルムの二層厚の寸法に対応するものであって、且つ、シールフィルム包装体のシールフィルムを外側から把持した状態で摺動可能なものであり、ｗ＝０．５〜１．５ｍｍ程度のもので、より好ましくは、約１ｍｍ程度のものである。一方、前記細幅スリット２の長さ寸法Ｌは、シールフィルム包装体１１の開封部１２に交差する幅寸法Ｗに対応するものであればよい。
【００１６】
さらに、この考案になる粘性食品取出し用器具１は、シールフィルム包装体１１内から取り出した餡などの粘性食品Ｆを、例えば、最中用種体内で均すためのヘラ作用縁５を備えている。このヘラ作用縁５は、餡などの粘性食品Ｆを最中用種体内で均す際、前記細幅スリット２に当該餡などの粘性食品Ｆが進入しないように、例えば、図２Ｂに示すもののように、細幅スリット２から離れた部分に形成することが好ましい。
【００１７】
さらにまた、この考案になる粘性食品取出し用器具１において、前記偏平な板部材は、適度の可撓性を有するプラスチック材、金属材、竹材あるいは木材などの素材によって形成されるものである。さらに、前記粘性食品取出し用器具１の平面視形状については、何ら、図に示す実施例のものに限定されるものではなく、例えば、各種キャラクターを図形化したものであってもよい。
【００１８】
一方、この考案になる粘性食品取出し用器具をセットにした最中セット商品２０は、図３に示すように、内部に最中用種体Ｍを収納包装する第１のシールフィルム包装体２１と、内部に餡あるいはこれに類する粘性食品Ｆを収納包装する第２のシールフィルム包装体２２と、前記第２のシールフィルム包装体２２内の餡あるいはこれに類する粘性食品Ｆを取り出すための粘性食品取出し用器具１とをセットにした最中セット商品であって、前記粘性食品取出し用器具１が、偏平な板部材からなり、一端側に細幅スリット２を備え、一部に把手部３を備えており、前記細幅スリット２は、前記第２のシールフィルム包装体２２のシールフィルムを外側から把持する相対向した把持面４，４を形成するものからなっている。
【００１９】
この考案になる粘性食品取出し用器具１は、図１に示すようにして用いられる。即ち、内部に粘性食品Ｆを収納包装するシールフィルム包装体１１を、一縁辺に沿って設けてある開封部１２を開封した後、前記包装体１１内の粘性食品Ｆを取り出すべく、前記包装体１１の開封部１２の背反側シール部１３側にに差し込んで、前記背反側シール部１３を掴んで、当該粘性食品取出し用器具１を矢印Ｙ方向に摺動させることにより、見事に、内部粘性食品Ｆを取り出すことができ、取り出した後には、粘性食品取出し用器具１におけるヘラ作用縁５により、当該粘性食品Ｆを最中用種体Ｍ内で均すことができる。なお、この考案では、前記背反側シール部１３は、掴み部として機能するものであるので、通常よりは広面積のものとしておくことが好ましい。
【産業上の利用可能性】
【００２０】
この考案になる粘性食品取出し用器具１は、最中の餡の取出しの他、例えば、同じようにして、シールフィルム包装体内に収納包装されているバター、マーガリン、ジャムあるいはこれらに類する粘性食品の取出しに対しても変更することなく適用することができる。
【図面の簡単な説明】
【００２１】
【図１】図１は、この考案になる粘性食品取出し用器具を用いて、これにより、餡などの粘性食品を収納包装するシールフィルム包装体から粘性食品を取り出す態様を示す概略的な斜視図である。
【図２】図２ＡおよびＢは、この考案になる粘性食品取出し用器具の異なる形態の具体的な実施例を示す概略的な斜視図である。
【図３】図３は、この考案になる粘性食品取出し用器具をセットにした最中セット商品の一実施例を示す概略的な斜視図である。
【符号の説明】
【００２２】
１  粘性食品取出し用器具
２  細幅スリット
３  把手部
４、４  相対向した把持面
５  ヘラ作用縁
１１  シールフィルム包装体
１２  シールフィルム包装体の開封部
１３  シールフィルム包装体の背反シール部（掴み部）
ｗ  スリット幅寸法
Ｌ  細幅スリットの長さ寸法
Ｗ  シールフィルム包装体の開封部に交差する幅寸法
Ｆ  餡などの粘性食品
Ｍ  最中用種体
２０  最中セット商品
２１  第１のシールフィルム包装体
２２  第２のシールフィルム包装体
【図１】
0003102099.tif 000003
【図２】
0003102099.tif 000004
【図３】
0003102099.tif 000005